(57)【要約】      （修正有）【課題】建築物内への空気侵入及び湿気増加を防護するための防護ラップの提供。【解決手段】防護排水ラップは、第１部分１２、第２部分及び中実部分を備えている。いずれも材料は、ポリオレフィン、ポリエステル、ナイロン又はそれらの組み合わせで構成される。第１部分１２は、機械方向と横断方向の交差織布又は交差積層材料を備えている。機械方向の材料は、第１厚さ、横断方向の材料は、第２厚さを有し、第２厚さは、第１厚さの少なくとも約２倍になっている。第２部分は、コーティングであり、第１部分１２と第２部分は、互いに隣接して配置されている。中実シート部分は、第１部分と第２部分の内の少なくとも一方に取り付けられている。【選択図】図１
2004156430.tif 000002
【特許請求の範囲】
【請求項１】
第１部分と、第２部分と、中実シート部分を備えている防護排水ラップにおいて、
前記第１部分は、機械方向と横断方向との交差織布又は交差積層材料を備えており、前記機械方向の材料は、ポリオレフィン、ポリエステル、ナイロン又はそれらの組み合わせであり、前記機械方向の材料は第１厚さを有しており、前記横断方向の材料は、ポリオレフィン、ポリエステル、ナイロン又はそれらの組み合わせであり、前記横断方向の材料は第２厚さを有しており、前記第２厚さは、湿気の増加に対して排水機能を作り出す支援をするために、前記第１厚さの少なくとも約２倍はあり、
前記第２部分は、ポリオレフィン、ポリエステル、ナイロン又はそれらの組み合わせで構成されているコーティングであって、前記第１部分と第２部分は、互いに隣接して配置されており、
前記中実シート部分は、ポリオレフィン、ポリエステル、ナイロン又はそれらの組み合わせで構成され、前記第１部分と第２部分の少なくとも一方に取り付けられている、防護排水ラップ。
【請求項２】
前記防護ラップには孔が開けられている、請求項１に記載の防護ラップ。
【請求項３】
前記第１部分は交差織りされている、請求項１に記載の防護ラップ。
【請求項４】
前記第１部分は、交差積層されている、請求項１に記載の防護ラップ。
【請求項５】
前記機械方向材料と前記横断方向材料は、複数のテープで構成されている、請求項１に記載の防護ラップ。
【請求項６】
ポリオレフィン、ポリエステル、ナイロン又はそれらの組み合わせで構成されているコーティングである第３部分を更に備えており、前記第２部分と前記第３部分の間に前記第１部分が配置されている、請求項１に記載の防護ラップ。
【請求項７】
前記横断方向材料はヤーンである、請求項１に記載の防護ラップ。
【請求項８】
前記中実シート部分には孔が開けられている、請求項１に記載の防護ラップ。
【請求項９】
前記中実シート部分は通気性フィルムである、請求項１に記載の防護ラップ。
【請求項１０】
建築物内に防護ラップを使用する方法において、
第１部分と、第２部分と、中実シート部分とを備えている防護ラップを提供する段階であって、前記第１部分は、機械方向と横断方向との交差織布又は交差積層材料を備えており、前記機械方向の材料は、ポリオレフィン、ポリエステル、ナイロン又はそれらの組み合わせであり、前記機械方向の材料は第１厚さを有しており、前記横断方向の材料は、ポリオレフィン、ポリエステル、ナイロン又はそれらの組み合わせであり、前記横断機械方向の材料は第２厚さを有しており、前記第２厚さは、湿気の増加に対して排水機能を作り出す支援をするために、前記第１厚さの少なくとも約２倍はあり、前記第２部分は、ポリオレフィン、ポリエステル、ナイロン又はそれらの組み合わせで構成されているコーティングであって、前記中実シート部分は、ポリオレフィン、ポリエステル、ナイロン又はそれらの組み合わせで構成されており、前記第１部分と第２部分は互いに隣接して配置されており、前記中実シート部分は前記第１部分と前記第２部分の少なくとも一方に取り付けられている、防護ラップを提供する段階と、
少なくとも１つの枠組部材を提供する段階と、
前記防護ラップを、前記枠組部材の内の少なくとも１つを覆って取り付ける段階と、から成る方法。
【請求項１１】
建築物内に防護ラップを使用する方法において、
第１部分と、第２部分と、中実シート部分とを備えている防護ラップを提供する段階であって、前記第１部分は、機械方向と横断方向との交差織布又は交差積層材料を備えており、前記機械方向の材料は、ポリオレフィン、ポリエステル、ナイロン又はそれらの組み合わせであり、前記機械方向の材料は第１厚さを有しており、前記横断方向の材料は、ポリオレフィン、ポリエステル、ナイロン又はそれらの組み合わせであり、前記横断機械方向の材料は第２厚さを有しており、前記第２厚さは、湿気の増加に対して排水機能を作り出す支援をするために、前記第１厚さの少なくとも約２倍はあり、前記第２部分は、ポリオレフィン、ポリエステル、ナイロン又はそれらの組み合わせで構成されているコーティングであって、前記中実シート部分は、ポリオレフィン、ポリエステル、ナイロン又はそれらの組み合わせで構成されており、前記第１部分と第２部分は互いに隣接して配置されており、前記中実シート部分は前記第１部分と前記第２部分の少なくとも一方に取り付けられている、防護ラップを提供する段階と、
堰板を提供する段階と、
前記防護ラップを、前記堰板を覆って取り付ける段階と、から成る方法。
【発明の詳細な説明】
【技術分野】
【０００１】
本発明は、概括的には、建築物内の空気浸入及び湿気増加に対して防護するために用いられる防護ラップに関する。厳密には、本発明の防護ラップは、交差織布又は交差積層材料を含んでいる。
【背景技術】
【０００２】
住居用及び商業用構造物のような建築物の建造に用いられる市販の防護ラップには、多くの種類がある。市販の防護ラップは、空気の浸入と、湿気の増加による損傷とに対して保護するために用いられる。空気浸入は、通常の構造物では、特に堰板の継目や窓及びドア周りの亀裂を通して起こる。湿気の増加は、例えば、外側仕上げ又はカバーの漏れや、窓及びドア周りの亀裂のような外因で、壁の空洞内に発生することもある。防護ラップの外側は、水を取り込むのではなく、水が流れ落ちて壁システムを出てゆくようにしなければならない。
【０００３】
市販の防護ラップは、一般的に、羽目板、れんが、石、石組み、スタッコ及びコンクリート化粧張りのような外側仕上げ又は被覆の後ろ側に、建築物内の２次的耐候性バリヤーとして用いられている。スタッコは、合成材ベース（ポリマーベースのスタッコ）でも、セメント質（ポートランドのセメントと、石灰と、砂の混合物）でもよい。建築物に用いられるスタッコシステム、即ち、外側断熱仕上げシステム（排水器ＥＩＦＳ）の１つの型式には、一般的に、排水板と、断熱板と、セメント質のコーティングを受け入れる鋼線又は合成材の網を使用することが含まれている。スタッコシステムでは、防護ラップは、通常、セメント質のコーティングと直接接触して取り付けられることはない。しかし場合によっては、複数の層の防護ラップが、１つの層がセメント質のコーティングに接触した状態で取り付けられることもある。
【０００４】
織布及び不織布の市販防護ラップは、通常は、建築物の建造に用いられる。織布ラップの強度特性は、一般的に、不織布ラップの強度特性よりもかなり高い。織布ラップの中には透明なものもあり、窓及びドア開口部と同様、スタッドを配置するのにも役立つ。しかし、不織布ラップは、一般的に織布ラップより浸透率が高い。
【０００５】
不織布ラップ、織布ラップ及び交差積層ラップのような市販の防護ラップには、水蒸気が通過できるように微小な孔が開けられている。（紡糸接合ポリオレフィンラップのような）大部分の不織布市販防護ラップは、ラップを形成する際に用いられる工程の結果、本質的に水蒸気が通過できる構造となるので、孔が開けられてはいない。
【０００６】
従って、空気浸入に対して防護しながら、損傷を与える湿気の増加に対処し排水性能を強化した防護ラップが必要とされている。
【発明の開示】
【課題を解決するための手段】
【０００７】
或る実施形態によれば、防護排水ラップは、第１部分と、第２部分と、中実シート部分とを備えている。第１部分は、機械方向と横断方向に交差織布又は交差積層材料を備えている。機械方向の材料は、ポリオレフィン、ポリエステル、ナイロン又はそれらの組み合わせであり、第１厚さを有している。横断方向の材料は、ポリオレフィン、ポリエステル、ナイロン又はそれらの組み合わせであり、第２厚さを有している。第２厚さは、湿気の増加に対する排水性能の強化を支援するため、第１厚さの少なくとも約２倍以上となっている。第２部分は、ポリオレフィン、ポリエステル、ナイロン又はそれらの組み合わせから成るコーティングである。第１部分と第２部分は、互いに隣接して配置されている。中実シート部分は、ポリオレフィン、ポリエステル、ナイロン又はそれらの組み合わせで構成されている。中実シート部分は、第１部分及び第２部分の内の少なくとも一方に取り付けられている。
【０００８】
別の実施形態によれば、防護排水ラップは、第１部分と、第２部分と、中実シート部分を備えている。第１部分は、機械方向と横断方向に交差織布又は交差積層材料を備えている。機械方向の材料は、ポリオレフィン、ポリエステル、ナイロン又はそれらの組み合わせであり、第１厚さを有している。横断方向の材料は、ポリオレフィン、ポリエステル、ナイロン又はそれらの組み合わせであり、第２厚さを有している。横断機械方向の材料はヤーンである。第２厚さは、湿気の増加に対する排水性能の強化を支援するため、第１厚さの少なくとも約２倍以上となっている。第２部分は、ポリオレフィン、ポリエステル、ナイロン又はそれらの組み合わせから成るコーティングである。第１部分と第２部分は、互いに隣接して配置されている。中実シート部分は、ポリオレフィン、ポリエステル、ナイロン又はそれらの組み合わせで構成されている。中実シート部分は、第１部分及び第２部分の内の少なくとも一方に取り付けられている。
【０００９】
建築物内に防護ラップを利用する或る方法によれば、防護ラップが提供されている。防護排水ラップは、第１部分と、第２部分と、中実シート部分を含んでいる。第１部分は、機械方向と横断方向に交差織布又は交差積層材料を備えている。機械方向の材料は、ポリオレフィン、ポリエステル、ナイロン又はそれらの組み合わせであり、第１厚さを有している。横断方向の材料は、ポリオレフィン、ポリエステル、ナイロン又はそれらの組み合わせであり、第２厚さを有している。第２厚さは、湿気の増加に対する排水性能の強化を支援するため、第１厚さの少なくとも約２倍以上となっている。第２部分は、ポリオレフィン、ポリエステル、ナイロン又はそれらの組み合わせから成るコーティングである。第１部分と第２部分は、互いに隣接して配置されている。中実シート部分は、第１部分及び第２部分の内の少なくとも一方に取り付けられている。防護ラップは、枠組部材の少なくとも１つを覆って取り付けられる。代わりに、防護ラップは堰板を覆って取り付けてもよい。防護ラップは、取り付けられると、排水面を形成する。
【発明を実施するための最良の形態】
【００１０】
本発明は、様々な修正及び代替形態の余地があるが、その特定の実施形態を、図面で例示し、以下に詳しく説明する。しかし、本発明を、開示している特定の形態に限定する意図はなく、逆に、本発明は、特許請求の範囲に定義する本発明の精神及び範囲内に在る全ての修正、等価及び代替物を含むものである。
【００１１】
先ず図１及び図２に、本発明の或る実施形態による防護排水ラップ１０を示す。本発明の防護ラップは、防護ラップ１０を含め、堰板又は枠組部材に取り付けられるようになっている。防護ラップは、通常、羽目板、れんが、石、石組、スタッコ（例えば、合成又はセメント質）又はコンクリート化粧張りのような外側被膜で覆われている。
【００１２】
本発明の或る実施形態によれば、図１及び２の防護ラップ１０は、第１部分１２と、第２部分即ちコーティング１４を備えている。防護ラップ１０の第１部分１２は、図１及び２に示しているような交差織布であってもよい。代わりに、本発明の第１部分は、図３及び４に示すような交差積層防護排水ラップ２０を備えた交差積層であってもよい。
第１部分
防護ラップの第１部分は、取付中に生じる恐れのある引裂及び／又はほつれを抑止又は防止するのに必要な強度を提供する。これらの引裂及び／又はほつれは、防護ラップの取り付け中に、特に釘又はかすがいによって発生することがある。これらの引裂及び／又はほつれは、取り付け後、防護ラップを外側被覆で覆う前に、風又は破壊行為のような環境条件で生じることもある。
【００１３】
図１に示すような第１部分１２は、複数の機械方向（ＭＤ）のテープ又は撚り糸１２ａと、複数の横断方向（ＴＤ）のテープ又は撚り糸１２ｂを備えている。機械方向は「たて糸」と呼ばれており、横断方向は「よこ糸」又は「ウェフト」とも呼ばれている。図１の第１部分１２は、一般的に「交差織布スクリム」と呼ばれている。
【００１４】
図１に示すスクリムは、１０ｘ４カウントのスクリム（インチ当たりＭＤ数ｘインチ当たりＴＤ数）を拡大したものである。本発明の第１部分１２を形成する際には、７ｘ４カウント、１０ｘ５カウント、１６ｘ４カウント及び１６ｘ５カウントを含む様々な他のスクリムカウント を利用することも考えられる。スクリムカウントは、一般的に、横断方向よりも機械方向の方が大きい。ＭＤスクリムカウントは、一般的に、インチ当たり約６から約２４テープであり、ＴＤスクリムカウントは、一般的に、インチ当たり約３から約６テープである。ＭＤ及びＴＤスクリムカウントは、一般的に、ＭＤ及びＴＤのテープの各幅が増大するにつれて、インチ当たりの数が少なくなる。
【００１５】
複数の機械方向のテープ１２ａは、ポリオレフィン、ポリエステル、ナイロン又はそれらの組み合わせのような材料で作られている。機械方向テープ１２ａを形成するのに用いられるポリオレフィンは、ポリプロピレン又はポリエチレンを含んでいる。ここで用いる用語「ポリプロピレン」は、プロピレンのポリマーであるか、プロピレンを、エチレン、１−ブテン、１−ペンテン、３−メチル・１−ブテン、４−メチル・１−ペンテン、４−メチル・１−ヘキセン、５−メチル・１−ヘキセン及びそれらの混合物のような他の脂肪族ポリオレフィンと重合させたものである。ポリプロピレンは、プロピレンのホモポリマーだけでなく、少なくとも５０モルパーセントのプロピレンユニットと、プロピレンと重合可能な少量のモノマーと、少なくとも５０重量パーセントのプロピレンホモポリマーと他のポリマーとの混合物と、から成るプロピレンコポリマーを含んでいる。
【００１６】
ここに用いる用語「ポリエチレン」は、低密度ポリエチレン（ＬＤＰＥ）、中密度ポリエチレン（ＭＤＰＥ）、高密度ポリエチレン（ＨＤＰＥ）、超低密度ポリエチレン（ＶＬＤＰＥ）、線形低密度ポリエチレン（ＬＬＤＰＥ）、メタロセン触媒線形低密度ポリエチレン（ｍＬＬＤＰＥ）及びそれらの組み合わせを含んでいる。
【００１７】
「ポリエステル」の例には、ジカルボン酸とジヒドロキシアルコールとの重縮合生成物であるポリエステル樹脂が含まれる。「ポリエチレンテレフタレート」の例には、エチレングリコールとテレフタル酸から作られるポリエステル樹脂が含まれる。「ナイロン」の例は、アミド基（-ＣＯＮＨ）の存在を特徴とするポリアミドポリマーである。
【００１８】
複数の機械方向テープ１２ａのそれぞれは、１つの繊維又はフィラメントで作ってもよいし、互いに整列している複数の繊維又はフィラメントで作ってもよい。複数の機械方向テープ１２ａは、単一の繊維又はフィラメントの混合物で作ってもよいし、互いに整列している複数の繊維又はフィラメントで作ってもよい。例えば、単一の繊維又はフィラメントを、互いに整列している複数のフィラメントと取り替え、複数の機械方向テープ１２ａの厚さが変わるようにすることも考えられる。機械方向テープ１２ａをコードと呼んでもよい。図１に示しているように、複数の機械方向テープ１２ａは、実質的に平らである。
【００１９】
複数の横断方向のテープ１２ｂは、機械方向テープ１２ａに関して先に述べたように、ポリオレフィン、ポリエステル、ナイロン又はそれらの組み合わせのような材料で作ってもよい。横断方向のテープ１２ｂを形成するのに用いられているポリオレフィンには、ポリプロピレン及びポリエチレンが含まれる。複数の横断方向テープ１２ｂのそれぞれは、単一の繊維又はフィラメントで作ってもよいし、互いに整列している複数の繊維又はフィラメントで作ってもよい。複数の横断方向のテープ１２ｂは、単一の繊維又はフィラメントの混合物で作ってもよいし、互いに整列している複数の繊維又はフィラメントで作ってもよいと考えられる。例えば、単一の繊維又はフィラメントを、互いに整列している複数のフィラメントと取り替えて、複数の横断方向のテープ１２ｂの厚さが変わるようにしてもよい。横断方向のテープ１２ｂは、コードと呼んでもよい。図２に分かり易く示しているように、複数の横断方向テープ１２ｂのそれぞれは、ほぼ楕円形に形成されている。複数の横断方向テープ１２ｂは、実質的に円形であるか、円形であるのが望ましい。横断方向のテープ１２ｂは、重力によって、水が、横断方向のテープ１２ｂの間に形成されているチャネルを流れ落ちることができるように形成されている。
【００２０】
織布防護ラップに自然な蒸気透過が必要な場合は、横断方向テープ１２ｂは、コーティング１４を第１部分１２に施したときに、自然な蒸気透過が形成できるほどに太くなければならない。自然な蒸気透過の機構は、コーティング１４が施された後の、横断方向テープ１２ｂに沿う開放隙間／空間によって形成される。開放隙間／空間を備えた防護ラップであれば、水蒸気透過に関する典型的な建築規格要件に合わせるため物理的な孔開けを行う必要はない。
【００２１】
開放隙間／空間を備えた防護ラップに孔を開けて、自然な蒸気透過性能を強化してもよい。防護ラップが隙間／空間無しで形成されている場合、必要な水蒸気透過を得るためしばしば防護ラップに孔が開けられる。防護ラップに形成される孔の大きさと形状は、様々である。孔が実質的に円形な場合、孔の直径は、一般的に約３から約１５ミルである。防護ラップに形成される孔と孔の間隔は、様々である。防護ラップの孔と孔の間隔の１つの例は、約３／１６インチである。
【００２２】
湿気の増加は、壁の空洞内に存在する内部の湿気を含んだ空気が原因となることもあるため、自然な水蒸気透過が望ましい場合が多い。湿気の増加は、枠組又は構造的堰板に用いられる生の木材のような材料から発生することもある。湿気の増加は、外部が仕上げられる前の構築中の雨、又は取り付け済みの壁システムに侵入する水のような環境要素から発生することもある。
【００２３】
本発明の横断方向テープ１２ｂの厚さは、取り付けられると、防護ラップの外（即ち、防護ラップと外側仕上げとの間）の排水を強化する独特の垂直方向チャネルを提供する。取り付けられた横断方向テープ１２ｂは、水が容易に壁システムから出て行けるようにする。排水を強化するために、横断方向テープ１２ｂの厚さは、一般的に、機械方向テープ１２ａの厚さの少なくとも約２倍である。横断方向テープ１２ｂの厚さは、一般的に、機械方向テープ１２ａの厚さの少なくとも約３又は約４倍である。横断方向テープ１２ｂの厚さは、機械方向テープ１２ａの厚さの約６から約８倍でもよい。
【００２４】
或る実施形態による複数の横断方向テープ１２ｂの、取り付け後の状態を図５に示している。横断方向テープ１２ｂは、排水を強化するため、機械方向テープ１２ａに概ね垂直になっている。テープ１２ｂは、取り付けられるときに、概ねに下向きに配置されるのであれば、テープ１２ａに対してほぼ斜めに配置してもよいと考えられる。
【００２５】
複数のＭＤ及びＴＤテープ１２ａ及び１２ｂを備えている第１部分１２は、押し出し成形で作ることができる。テープ１２ａと１２ｂは、成形された後、各種工程で交差織りされる。テープ１２ａと１２ｂを一体に織るために考えられた１つの工程が、織機の利用である。
【００２６】
代わりに、ＭＤ及びＴＤテープ１２ａ及び１２ｂは、適した接着剤を利用してテープ１２ａと１２ｂを一体に接着することによって、互いに交差積層させてもよい（図３及び図４参照）。接着剤は、テープ１２ａ及び１２ｂを形成するのに用いた材料に基づいて選択される。
第２部分、即ちコーティング
防護ラップ１０の第２部分即ちコーティング１４は、第１部分１２に貼り付けられる。コーティング１４は、第１部分１２に関して先に述べたように、ポリオレフィン、ポリエステル、ナイロン又はそれらの組み合わせから作られる。コーティング１４を形成するのに一般的に用いられるポリオレフィンには、ポリプロピレンとポリエチレンが含まれる。ポリプロピレンから作られるコーティング１４は、優れた剛性を防護ラップに付与するので望ましい。
【００２７】
本発明のコーティング１４は、一般的に、約０．５ミルから約２．０ミルの厚さが得られるように貼り付けられ、約０．８から約１．２ミルの厚さであれば望ましい。コーティングは、水蒸気が通過できる隙間によって自然な蒸気透過が形成されるほどの厚さで、第１部分１２に貼り付けられるのが望ましい。
【００２８】
コーティング１４は、図２で、第１部分１２の一方の表面に貼り付けられるように示されている。横断方向テープ１２ｂが、防護ラップの外部への排水を向上させるチャネルを提供できる限りにおいて、コーティング１４を、第１部分１２の両方の面に施してもよい（図示せず）と思われる。
【００２９】
コーティング１４は、様々な工程で、第１部分１２に貼り付けることができる。本発明の或る工程によれば、コーティング１４を形成するための樹脂のペレットが、固体の状態で押し出しホッパー内に加えられる。これらのペレットは、押し出し成形機内で溶融材料を形成する十分な温度に加熱される。コーティング１４を形成する溶融材料は、ダイを通して押し出し成形機を出る。押し出し成形機は、一般的に、溶融材料が出て、重力により第１部分１２の表面上に垂直に落ちる水平方向のダイを有している。同時に、溶融材料は、押し出し成形機から出て、第１部分１２が、押し出し成形機に対して横断方向に進む。
【００３０】
第１部分１２は、ねじ付き経路に沿って交差織り又は交差積層材料を引っ張るローラーを含む送り機構上を進む。送り機構は、コーティングを押し出す押し出し成形機ダイの下に配置されている。第１部分１２に貼り付けられるコーティング１４の量は、送り機構の速度、押し出し成形機開口の大きさ、及び、ダイを出るコーティングの速度のような要因で決まる。これらの変数は、水蒸気が通過できるような隙間を形成する所望のコーティング厚さが得られるように制御されるのが望ましい。
ヤーン部分
本発明の別の実施形態による防護排水ラップ６０を、図６及び図７に示す。防護ラップ１０に関して先に述べたように、防護ラップ６０は、堰板又は枠組部材に取り付けられるようになっている。防護ラップ６０は、テープ又は撚り糸部分６２、ヤーン部分６４、コーティング部分６６を備えている。図６及び図７のテープ部分６２は、機械方向に複数のテープを備えており、一方、ヤーン部分６４は、横断方向に複数のヤーン撚り糸を備えている。
【００３１】
ヤーン部分６４は、水のような水分を吸収することができる。加えて、ヤーン部分６４は、水和特性を更に向上させる水分の吸い取りを行うことができる。重力によって水を下方向に移動させるのを支援するために、ヤーン部分６４は、概ね垂直方向に取り付けられるのが望ましい。更に、ヤーン部分６４は、複数のヤーン撚り糸の間にチャネル形成効果をもたらし、水が下方向に移動するのを支援する。隣接するヤーン撚り糸の間に形成されているチャネルが、例えばスタッコによって遮断された場合、水は、ヤーンに吸収されることになる。この吸収された水は、ヤーン撚り糸を通って下方向に流れることもあれば、水を下方向に移動させるための別のチャネルに送られることもある。
【００３２】
本発明に用いられるヤーンの種類には、紡糸ヤーン、バルク連続処理（ｂｃｐ）ヤーン及び自然ヤーン（例えば黄麻）が含まれる。紡糸ヤーンは、非常に小さなフィラメントが押し出され、選択された長さに切断されるという２段階工程によって形成される。次に、これらのフィラメントは、例えば精紡機を使って連続ヤーンに紡糸される。バルク連続処理ヤーンは、７０又は８０本の非常に小さな繊維を、互いに非常に近接して配置された連続するフィラメントに押し出すことによって形成される。連続するフィラメントが非常に近接しているので、フィラメントを、空気交絡又は捻りによって絡み合わせて、１つのヤーンに作り上げることができる。
【００３３】
ヤーン部分６４は、ポリオレフィン、ポリエステル、ナイロン又はそれらの組み合わせのようなポリマー材料から作ることができる。ヤーン部分６４を形成する際に使用されるよく配慮されたポリオレフィンには、ポリプロピレン又はポリチレンが含まれる。図６に示すヤーン部分６４の複数の撚り糸のそれぞれは、互いに撚り合わされた複数の繊維又はフィラメントで作られている。ヤーン部分６４の撚り糸は、互いに撚り合わされた繊維又はフィラメントの数を変えて、撚り糸の太さが異なるようにしてもよいと考えられる。例えば、ヤーン部分６４の撚り糸は、互いに撚り合わされている繊維又はフィラメントの数を変えて、様々な太さの撚り糸を提供してもよい。ＢＰアモコ・ファブリックス社製造の紡糸ポリプロピレンヤーンは、よく配慮されているヤーンの１つの種類である。テープ部分６２とヤーン部分６４は、共に、ポリプロピレンから作ることができる。
【００３４】
テープ部分６２は、ポリオレフィン、ポリエステル、ナイロン又はそれらの組み合わせの様な材料から作ることができる。そのような材料の例には、第１部分１２に関して先に述べたポリプロピレン又はポリエチレンが含まれる。テープ部分６２は、機械方向テープ１２ａに関して先に述べたのと同じ方法で作ることができる。
【００３５】
ヤーン部分６４とテープ部分６２とは、互いにほぼ直角な方向に配置されるのが望ましい。テープ部分６２に対するヤーン部分６４のこの位置を図６に示している。しかし、取り付けられたときにヤーン部分６４が概ね下向きに配置される限りにおいて、ヤーン部分６４は、テープ部分６２に対し略対角線方向に配置してもよいと考えられる。
【００３６】
図６に示すように、ヤーン部分６４の複数のヤーン撚り糸のそれぞれは、テープ部分６２の複数のテープ／撚り糸の間に織り込まれる。交差織りされている場合、ヤーン部分６４とテープ部分６２の組み合わせは、交差織布スクリムと呼ぶことができる。ヤーン部分６４とテープ部分６２は、様々な技術で織ることができる。そのような例の１つは、ヤーン部分６４とテープ部分６２とを織る織機を使用するものである。
【００３７】
代わりに、テープ部分６２とヤーン部分６４とは、適した接着剤を使って複数のテープと複数のヤーン撚り糸を一体に接着することによって、交差積層（図示せず）させてもよい。
【００３８】
コーティング６６は、コーティング１４に関して先に述べたように、ポリオレフィン、ポリエステル、ナイロン及びそれらの組み合わせから作ることができる。コーティング６６を形成するのに一般的に使用されるポリオレフィンには、ポリプロピレンとポリエチレンが含まれる。ポリプロピレンから作られたコーティング６６は、防護ラップに優れた剛性を付与するので望ましい。コーティング６６の厚さは、コーティング１４に関して先に述べたのと同様である。コーティング６６は、コーティング１４に関して先に述べたと同じ工程によって、テープ部分６２とヤーン部分６４とに貼り付けることができる。
【００３９】
図９及び図１０に、別の実施形態による、中実シート部分９２とヤーン部分９４とから成る防護排水ラップ９０を示している。防護ラップ９０は、防護ラップ１０、２０及び６０に関して先に述べたように、堰板又は枠組部材を覆って取り付けることができるようになっている。
【００４０】
重力による排水を支援するために、ヤーン部分９４は、概ね垂直方向に（即ち、横断方向材料）に取り付けられるのが望ましい。ヤーン部分９４は、ヤーン部分６４に関して先に述べたのと同様である。防護ラップ９０には、中に孔が形成されていて、水蒸気の透過率を高めるようになっていてもよい。
【００４１】
中実シート部分９２は、ポリオレフィン、ポリエステル、ナイロン又はそれらの組み合わせのようなポリマー材料で作ることができる。中実シート部分９２は、通気性フィルムであってもよい。同様に、ヤーン部分９４は、ポリオレフィン、ポリエステル、ナイロン又はそれらの組み合わせのようなポリマー材料で作ることができる。代わりに、ヤーン部分が、複数の孔を有している中実シートテープ部分（図示せず）を通って交差織りされていてもよい。
【００４２】
防護排水ラップは、中実シート部分と、先に述べた横断方向テープ１２ｂのような複数の横断方向テープを備えていてもよい。複数のテープが、湿気の増加に対する排水を支援するように取り付けられている。
【００４３】
本発明の或る実施形態による防護排水ラップ１１０を、図１１及び図１２に示す。防護排水ラップ１１０は、第１部分１１２と、第２部分即ちコーティング１１４と、中実シート部分１１６を備えている。防護排水ラップ１１０の第１部分１１２は、図１１及び１２に示すように交差織りでもよい。代わりに、本発明の第１部分は、図１３及び１４に交差積層防護排水ラップ１２０として示しているように、交差積層でもよい。防護ラップは、堰板又は枠組部材に取り付けられるようになっている。
【００４４】
先に述べたように、防護ラップの第１部分は、取付中に生じる恐れのある引裂及び／又はほつれを抑止又は防止するのに必要な強度を提供する。図１１に示しているように、第１部分１１２は、複数の機械方向（ＭＤ）テープ又は撚り糸１１２ａと、複数の横断方向（ＴＤ）テープ又は撚り糸１１２ｂとを備えている。図１１の第１部分は、通常「交差織りスクリム」と呼ばれている。
【００４５】
第１部分１１２の材料、構成（例えば大きさや形状）及びスクリムカウントは、第１部分１２に関して先に述べたのと同じであってもよい。例えば、複数のテープ又は撚り糸１１２ａ、１１２ｂは、ポリオレフィン、ポリエステル、ナイロン又はそれらの組み合わせの材料で作ってもよい。スクリムカウントは、一般的に、横断方向より機械方向の数の方が大きい。複数の機械方向及び／又は横断方向のテープ１１２ａ及び１１２ｂのそれぞれは、単一の繊維又はフィラメントで作ってもよいし、互いに整列している複数の繊維又はフィラメントで作ってもよい。複数の機械方向及び横断方向テープ１１２ａ及び１１２ｂは、単一の繊維又はフィラメントの混合物で作ってもよいし、互いに整列している複数の繊維又はフィラメントで作ってもよい。例えば、単一の繊維又はフィラメントを、互いに整列している複数の繊維又はフィラメントと取り替えて、テープの厚さが変わるようにしてもよい。
【００４６】
織布防護ラップに自然な蒸気透過性が必要な場合、横断方向テープ１１２ｂは、コーティング１４を第１部分１１２に施したときに、自然な蒸気透過性が形成できるほど厚くなければならない。自然な蒸気透過の機構は、コーティング１１４が施された後の、横断方向テープ１１２ｂに沿う開放隙間／空間によって形成される。自然な蒸気透過性を向上させるために、開放隙間／空間を備えた防護ラップに孔を開けてもよい。開放隙間／空間を備えていない防護ラップには、必要な水蒸気透過性を持たせるため、孔を開けることが多い。
【００４７】
本発明の横断方向テープ１１２ｂの厚さは、取り付けられると、水が容易に壁システムから出て行けるようにする独特の垂直方向チャネルを提供する。排水を強化するためには、横断方向テープ１１２ｂの厚さは、一般的に、機械方向テープ１１２ａの厚さの少なくとも約２倍はいる。横断方向テープ１１２ｂの厚さは、一般的に、機械方向テープ１１２ａの厚さの少なくとも約３又は約４倍である。横断方向テープ１１２ｂの厚さは、機械方向テープ１１２ａの厚さの約６から約８倍でもよい。
【００４８】
本発明の或る実施形態による複数の横断方向テープ１１２ｂの、取り付け後の状態を図１５に示している。横断方向テープ１１２ｂは、排水性を強化するため、機械方向テープ１１２ａに概ね垂直になっている。テープ１１２ｂは、取り付けられるときに、概ねに下向きに配置されるのであれば、テープ１１２ａに対してほぼ斜めに配置してもよいと考えられる。
【００４９】
防護ラップ１０の第２部分即ちコーティング１１４は、第１部分１１２に貼り付けられる。コーティング１１４は、コーティング１４に関して先に述べたのと同じ材料及び厚さで作ってもよい。例えば、コーティング１１４は、ポリオレフィン、ポリエステル、ナイロン又はそれらの組み合わせで作ってもよい。コーティング１１４は、図１２では、第１部分１１２の片側の表面に取り付けるように示されている。コーティング１１４を第１部分１１２の両側の面に施しても（図示せず）、横断方向テープ１１２ｂがなお防護ラップの外部への排水性を向上させるチャネルを形成できるのであれば、両側の面に施してもよいと思われる。コーティング１１４は、コーティング１４及び第１部分１２に関して先に述べたのと同じ工程で、第１部分１１２に施すことができる。
【００５０】
中実シート部分１１６は、ポリオレフィン、ポリエステル、ナイロン又はそれらの組み合わせのようなポリマー材料で作ることができる。中実シート部分１１６は、通気性フィルムであってもよい。通気性フィルムを使えば、内側壁構造体が建築紙と同じ方法で通気できるので、通気性フィルムを使用することが望ましい。通気性フィルムは、中を水が流れるのを防止又は阻止しながら、水蒸気を出すことができる。使用することのできる通気性フィルムには、３Ｍ社（ＳＣＯＴＣＨ(R)微小多孔フィルム）、Ｅｘｘｏｎ（Ｅｘｘａｉｒｅ多孔フィルム）及びベルギーのＡｓｓｉＤｏｍａｎＢｅｌｌｃｏａｔ製のフィルムがある。他の通気性フィルムも本発明で使用してもよいと考えられる。
【００５１】
中実シート部分１１６は、接着剤又は加熱接着によって第１部分及び／又はコーティング１１４に取り付け又は接着することができる。好適な接着剤は、通気性接着剤である。中実シート部分１１６は、通常、例えば図１２及び１４に示すように第１部分に取り付けられる。この様に取り付け又は接着すると、排水に適した形のチャネルを形成するのに役立つ。
【００５２】
本発明の又別の実施形態による防護排水ラップ１６０を、図１６及び図１７に示す。防護ラップ１６０は、堰板又は枠組部材に取り付けられるようになっている。防護ラップ１６０は、テープ又は撚り糸部分１６２、ヤーン部分１６４、コーティング部分１６６及び中実シート部分１６８を備えている。図１６及び図１７のテープ部分１６２は、機械方向に複数のテープを備えており、一方、ヤーン部分１６４は、横断方向に複数のヤーン撚り糸を備えている。
【００５３】
テープ部分１６２は、ポリオレフィン、ポリエステル、ナイロン又はそれらの組み合わせの様な材料で作ることができる。そのような材料の例には、第１部分１２に関して先に述べたポリプロピレン又はポリエチレンが含まれる。テープ部分１６２は、機械方向テープ１２ａに関して先に述べたのと同じ方法で作ることができる。
【００５４】
ヤーン部分１６４は、水のような水分を吸収することができる。加えて、ヤーン部分１６４は、水和特性を更に向上させる水分の吸い取りを行うことができる。ヤーン部分１６４は、ヤーン部分６４に関して先に述べたのと同じ材料で作り、同じ方法で取り付けることができる。ヤーン部分１６４の撚り糸は、互いに撚り合わされた繊維又はフィラメントの数を変えて、撚り糸の厚さが異なるようにしてもよいと考えられる。例えば、ヤーン部分１６４の撚り糸は、互いに撚り合わされている繊維又はフィラメントの数を変えて、様々な太さの撚り糸としてもよい。ヤーン部分１６４は、ポリオレフィン（例えばポリプロピレン又はポリエチレン）、ポリエステル、ナイロン又はそれらの組み合わせのようなポリマー材料で作ることができる。使用できるヤーンの種類には、紡糸ヤーン、バルク連続処理（ｂｃｐ）ヤーン及び自然ヤーン（例えば黄麻）が含まれる。
【００５５】
ヤーン部分１６４とテープ部分１６２とは、互いに概ね垂直な方向に配置するのが望ましい。テープ部分１６２に対するヤーン部分１６４のこの配置を図１６に示している。しかし、ヤーン部分１６４は、取り付けたときに、ヤーン部分１６４がほぼ下向きになる限りにおいて、テープ部分１６２に対しほぼ斜めに配置してもよいと思われる。
【００５６】
図１６に示すように、ヤーン部分１６４の複数のヤーン撚り糸のそれぞれは、テープ部分１６２の複数のテープ／撚り糸の間に織り込まれている。ヤーン部分１６４とテープ部分１６２の組み合わせは、交差織りされる場合、交差織りスクリムと呼ばれる。ヤーン部分１６４とテープ部分１６２は、織機の使用を含む様々な技術で織ることができる。
【００５７】
代わりに、テープ部分１６２とヤーン部分１６４は、複数のテープと複数のヤーン撚り糸を適した接着剤を用いて１つに接着することによって交差積層することもできる。
コーティング１６６は、コーティング１４に関して先に述べたように、ポリオレフィン、ポリエステル、ナイロン又はそれらの組み合わせで作ることができる。中実シート部分１６８は、ポリオレフィン、ポリエステル、ナイロン又はそれらの組み合わせのようなポリマー材で作ることができる。中実シート部分１６８は、中実シート部分１１６に関して先に述べたような通気性フィルムでもよい。
【００５８】
中実シート部分１６８は、テープ部分１６２、ヤーン部分１６４及び／又は１６６に取り付け又は接着される。中実シート部分１６８は、通常、例えば図１７に示すように、ヤーン部分１６４に取り付け又は接着される。中実シート部分１６８は、ヤーン部分１６４に加熱接着してもよい。中実シート部分１６８は、接着剤（例えば通気性接着剤）でヤーン部分１６４に接着することもできる。
防護ラップ添加剤
本発明では、防護ラップへの添加剤が考慮されている。例えば、防護ラップは、太陽光に抗するために着色添加剤を含んでいてもよい。着色材の添加は、防護ラップを取り付ける際に、作業員の助けになる。防護ラップは、更に、太陽光に長く曝露されることに起因する劣化に耐えるため、紫外線防止剤及び抗酸化剤のような化学添加物を含んでいてもよい。更に、本発明の防護ラップは、半透明であってもよい。半透明の防護ラップは、窓及びドア開口部と同様、スタッドを配置するのにも役立つ。本発明の防護ラップには、上に印刷を施してもよい。
防護ラップの特性
本発明の防護ラップは、優れた排水特性を提供する。更に、本発明の防護ラップは、ＡＳＴＭ  Ｅ９６手順９６Ａによって測定される水蒸気透過率（ＷＶＴＲ）を提供する。防護ラップの織布部分は、一般的に、約５から１５ｐｅｒｍの水蒸気透過率を有している。
【００５９】
ＡＳＴＭ  Ｄ８８２によって測定した織布防護ラップの引張強度は、一般的に約２５ｌｂｓ．／ｉｎより大きい。織防護ラップの引張強度は、ＡＳＴＭ  Ｄ８８２によって測定した場合、約３０ｌｂｓ．／ｉｎより大きいのが望ましく、約３５ｌｂｓ．／ｉｎより大きいのが更に望ましい。本発明の防護ラップは、取り付け中又は取り付け後に、引裂及び／又はほつれを抑制又は紡糸できるほど強く有用である。引裂及び／又はほつれは、望ましくない空気浸入及び／又は水分の貫通を引き起こすかもしれないし、一般的には引き起こす。
【００６０】
ＡＳＴＭ  Ｄ１１１７によって測定した織布防護ラップのＴＤ引裂強度は、一般的に２５ｌｂｓより大きい。ＡＳＴＭ  Ｄ１１１７によって測定した場合、織布防護ラップのＴＤ引裂強度は、３０ｌｂｓ．より大きいのが望ましく、３５ｌｂｓ．より大きいと更に望ましい。
【００６１】
通気性フィルムのような不織布防護ラップは、ＡＳＴＭ  Ｅ９６手順Ａで測定して、約３０から６０ｐｅｒｍの水蒸気透過率を有している。ＡＳＴＭ  Ｄ８８２によって測定した不織布防護ラップの引張強度は、一般的に、約１５ｌｂｓ．／ｉｎよりも大きく、約２０又は２５ｌｂｓ．／ｉｎよりも大きいと更に望ましい。ＡＳＴＭ  Ｄ１１１７によって測定した不織布防護ラップのＴＤ引裂強度は、一般的に１０ｌｂｓ．よりも大きく、約１５又は２０ｌｂｓ．よりも大きいと更に望ましい。
【００６２】
本発明の防護ラップは、多様な形状に成形することができる。しかし、防護ラップは、一般的に、円形のボール紙の芯にロール状に巻いて保存されている。本発明の防護ラップは、様々な大きさで製造することができる。住居用及び商業用建築物で通常用いられる大きさとしては、３フィートｘ１００フィート（３’ｘ１００’）、４．５’ｘ１００’、４．５’ｘ１５０’、４．５’ｘ１９５’、９’ｘ１００’、９’ｘ１９５’及び１０’ｘ１５０’等が有るが、これに限定されるわけではない。例えば、横断方向に長さ３’伸張し、機械方向に長さ１００’伸張しているものもある。
【００６３】
防護ラップの厚さも様々であるが、ＡＳＴＭ  Ｄ７５１で測定して、一般的に約８から約１２ミルである。防護ラップの厚さは、通常、約９から約１１ミルである。防護ラップの最も一般的な厚さは、約１０ミルである。
防護ラップの利用
本発明の防護ラップは、住居用及び商業用建物のラップとして使用することができる。防護ラップは、通常、羽目板、れんが、石、石組又はコンクリート化粧板のような外側の被覆で覆われている。代わりに、本発明の防護ラップは、防護ラップがセメント質の外側被覆（スタッコ又はＥＩＦＳ）で覆われているスタッコ排水ラップとして用いることもできる。防護ラップは、外側カバーの水和性が早すぎず且つ遅すぎないように、セメント質の外側被覆の乾燥／硬化工程を制御するのに使うこともできる。
防護排水ラップを利用する方法
本発明の或る工程によれば、防護排水ラップは、枠組部材に取り付けられる堰板に直接取り付けられる。堰板は、様々な材料で作ることができる。堰板として使用される材料の例には、薄い複合積層板、繊維板、配向撚糸板（ＯＳＢ）、合板、ポリイソシアヌル酸塩発泡材、押し出し成形ポリスチレン（ＸＰＳ）発泡材、及びモールド成形発泡ポリスチレン（ＥＰＳ）発泡材が含まれる。枠組部材の例には合板とＯＳＢが含まれる。防護ラップは、釘又はかすがいのような留め具を使って、堰板に機械的に取り付けることができる。
【００６４】
堰板に取り付けられている防護ラップの１つの例が図１５に示されており、防護ラップ１１０（第１部分１１２、第２部分１１４及び中実シート部分１１６）は、堰板３０を覆って取り付けられている。堰板３０は、複数の枠組部材３５に取り付けられている。使用できる枠組部材の型式には、南方米松（ＳＹＰ）及びトウヒ（ＳＰＦ）がある。しかし、枠組部材には、金属製のものもある。図１５の防護ラップ１１０は、第１部分１１２と、第２部分１１４と、中実シート部分１１６とを示すために切り取られている。図１５は、更に、防護ラップ１１０の外側表面に配置されている外側カバー（羽目板４０）も示している。第２部分１１４は、羽目板４０に隣接して配置されており、水が壁システムから流出できるように支援している。図１５の中実シート部分１１６は、堰板３０に隣接して配置されている。
【００６５】
図５に、第１部分１２及び第２部分１４を含む防護ラップ１０の別の実施形態を示している。図５では、堰板３０は複数の枠組部材３５に取り付けられており、第１部分１２は羽目板４０に隣接している。
【００６６】
防護排水ラップ１６０（テープ部分１６２、ヤーン部分１６４、コーティング部分１６６及び中実シート部分１６８）は、図１８に、堰板７０を覆って示されている。堰板は、複数の枠組部材７５に取り付けられている。図１８の防護ラップ１６０は、テープ部分１６２、１ヤーン部分６４、コーティング部分１６６及び中実部分１６８を示すために切り取られている。図１８は、更に、防護ラップ１６０の外側表面に配置されている外側被覆（羽目板８０）を示している。コーティング部分１６６は羽目板８０に隣接して配置されており、水が壁システムから流出するのを支援している。図１８の中実シート部分１６８は、堰板７０に隣接して配置されている。
【００６７】
図８に、テープ部分６２、ヤーン部分６４及びコーティング６６を含む防護ラップ６０の別の実施形態を示している。図８では、堰板７０は複数の枠組部材７５に取り付けられており、ヤーン部分６４は羽目板８０に隣接している。
【００６８】
堰板１２０（図１３及び図１４）は、防護排水ラップ１１０及び１６０に関して先に述べたのと同じ方法で取り付けることができる。
本発明の別の工程（図示せず）によれば、防護ラップは、複数の枠組部材を覆って直接取り付けられる。防護ラップは、防護ラップを堰板に取り付けることに関して先に述べたと同じ方法で、複数の枠組部材に取り付けることができる。
【００６９】
以上、本発明を、１つ又は複数の特定の実施形態に関連付けて説明してきたが、当業者には理解頂けるように、例示した実施形態には、本発明の精神及び範囲から逸脱することなく多くの変更を施すことができる。これらの実施形態及びその明白な変型は、特許請求の範囲に述べる本発明の精神及び範囲内にあるものと考えられる。
【図面の簡単な説明】
【００７０】
【図１】或る実施形態による交差織布防護ラップの上部斜視図である。
【図２】図１の略ＩＩ−ＩＩ線に沿う断面図である。
【図３】或る実施形態による交差積層防護ラップの上部斜視図である。
【図４】図３の略ＩＶ−ＩＶ線に沿う断面図である。
【図５】或る実施形態による堰板及び枠組部材に取り付けられた図１の防護ラップの破断斜視図である。
【図６】別の実施形態によるヤーン交差織布防護ラップの上部斜視図である。
【図７】図６の略ＶＩＩ−ＶＩＩ線に沿う断面図である。
【図８】別の実施形態による堰板及び枠組部材に取り付けられた図６の防護ラップの破断斜視図である。
【図９】更に別の実施形態によるヤーン防護ラップの上部斜視図である。
【図１０】図９の略Ｘ−Ｘ線に沿う断面図である。
【図１１】或る実施形態による交差織布防護ラップの上部斜視図である。
【図１２】図１１の略ＸＩＩ−ＸＩＩ線に沿う断面図である。
【図１３】本発明の別の実施形態による交差積層防護ラップの上部斜視図である。
【図１４】図１３の略ＸＩＶ−ＸＩＶ線に沿う断面図である。
【図１５】本発明の別の実施形態による堰板及び枠組部材に取り付けられた図１１の防護ラップの破断斜視図である。
【図１６】本発明の更に別の実施形態によるヤーン交差織布防護ラップの上部斜視図である。
【図１７】図１６の略ＸＶＩＩ−ＸＶＩＩ線に沿う断面図である。
【図１８】本発明の更に別の実施形態による堰板及び枠組部材に取り付けられた図１６の防護ラップの破断斜視図である。
【符号の説明】
【００７１】
１０，２０，６０，９０，１１０，１２０，１６０  防護ラップ
１２，１１２                                    第１部分
１２ａ，１１２ａ                                機械方向のテープ
１２ｂ，１１２ｂ                                横断方向のテープ
１４，６６，１１４，１６６                      第２部分、即ちコーティング
３０，７０                                      堰板
３５，７５                                      枠組部材
４０，８０                                      羽目板
６２，１６２                                    テープ部分
６４，９４，１６４                              ヤーン部分
９２，１１６，１６８                            中実シート部分
【図１】
2004156430.tif 000003
【図２】
2004156430.tif 000004
【図３】
2004156430.tif 000005
【図４】
2004156430.tif 000006
【図５】
2004156430.tif 000007
【図６】
2004156430.tif 000008
【図７】
2004156430.tif 000009
【図８】
2004156430.tif 000010
【図９】
2004156430.tif 000011
【図１０】
2004156430.tif 000012
【図１１】
2004156430.tif 000013
【図１２】
2004156430.tif 000014
【図１３】
2004156430.tif 000015
【図１４】
2004156430.tif 000016
【図１５】
2004156430.tif 000017
【図１６】
2004156430.tif 000018
【図１７】
2004156430.tif 000019
【図１８】
2004156430.tif 000020
【外国語明細書】
2004156430000001.pdf